(57)【要約】【課題】ホログラフィックメモリ媒体を定着可能な記録装置を提供する。【解決手段】ホログラフィックメモリ媒体１３の複数の記録箇所１６ａ、１６ｂに光情報を記録する記録装置１において、第１の記録箇所１６ａに多重記録により光情報を記録する記録部３と、第１の記録箇所１６ａにおける記録が終了したか否かを判定する判定部７と、第１の記録箇所１６ａにおける記録が終了したと判定した場合に、第１の記録箇所１６ａに定着を行う定着部４とを有し、第１の記録箇所１６ａにおける記録が終了したと判定した場合に、定着部４の第１の記録箇所１６ａの定着と並行して、記録部３が第２の記録箇所１６ｂに多重記録により光情報を記録する。【選択図】図１
2007256945.tif 000002
【特許請求の範囲】
【請求項１】
ホログラフィックメモリ媒体の複数の記録箇所に光情報を記録する記録装置において、
第１の前記記録箇所に多重記録により前記光情報を記録する記録部と、
前記第１の記録箇所における記録が終了したか否かを判定する判定部と、
前記第１の記録箇所における記録が終了したと判定した場合に、前記第１の記録箇所に定着を行う定着部とを有し、
前記第１の記録箇所における記録が終了したと判定した場合に、前記定着部の前記第１の記録箇所の定着が終了した後、もしくは定着と平行して前記記録部が第２の前記記録箇所に多重記録により前記光情報を記録することを特徴とするホログラフィックメモリ媒体の記録装置。
【請求項２】
前記記録部が前記光情報を記録するための記録用光源を有し、
前記定着部が前記定着を行うための定着用光源を有することを特徴とする請求項１に記載の記録装置。
【請求項３】
前記記録部が前記光情報を記録するための記録光の記録波長と、
前記定着部が前記定着を行うための定着光の定着波長が異なることを特徴とする請求項１又は請求項２に記載の記録装置。
【請求項４】
前記記録波長と前記定着波長とは、前記ホログラフィックメモリ媒体が含む重合反応を開始するための増感色素もしくは開始材の吸光度が前記記録波長においてよりも前記定着波長においての方で大きくなるように設定されていることを特徴とする請求項３に記載の記録装置。
【請求項５】
前記記録波長は、前記ホログラフィックメモリ媒体が含む増感色素による吸光度が前記記録波長において定着後に０．１以下であるように設定されていることを特徴とする請求項３又は請求項４に記載の記録装置。
【請求項６】
前記記録波長と前記定着波長とは、前記ホログラフィックメモリ媒体が含む定着用増感色素が前記記録波長において吸収がなく前記定着波長において吸収があるように設定されていることを特徴とする請求項３乃至請求項５のいずれか１項に記載の記録装置。
【請求項７】
ホログラフィックメモリ媒体の複数の記録箇所に光情報を記録する記録方法において、
第１の前記記録箇所に多重記録により前記光情報を記録し、
前記第１の記録箇所における記録が終了したか否かを判定し、
前記第１の記録箇所における記録が終了したと判定した場合に、前記第１の記録箇所に定着を行い、
前記定着が終了した後、もしくは定着と平行して、第２の前記記録箇所に多重記録により前記光情報を記録することを特徴とするホログラフィックメモリ媒体の記録方法。
【請求項８】
前記光情報を記録するための記録光の記録波長と、
前記定着を行うための定着光の定着波長が異なることを特徴とする請求項７に記載の記録方法。
【請求項９】
前記ホログラフィックメモリ媒体が含む重合反応を開始するための増感色素もしくは開始材による吸光度は、前記記録波長においてよりも前記定着波長においての方が大きいことを特徴とする請求項８に記載の記録方法。
【請求項１０】
光情報を記録するホログラフィックメモリ媒体において、
前記光情報を記録箇所に記録するための記録光の記録波長において吸収がある記録用増感色素と、前記記録波長において吸収がなく、前記光情報を前記記録箇所に定着するための定着光の定着波長において吸収がある定着用増感色素もしくは重合開始材とを含むことを特徴とするホログラフィックメモリ媒体。
【請求項１１】
光情報を記録し、増感色素を含むホログラフィックメモリ媒体において、
前記光情報を記録するための記録光の記録波長における前記増感色素の吸光度よりも、前記光情報を定着するための定着光の定着波長における前記増感色素もしくは重合開始材の吸光度の方が大きいことを特徴とするホログラフィックメモリ媒体。
【発明の詳細な説明】
【技術分野】
【０００１】
本発明は、ホログラフィックメモリ媒体、その記録装置およびその記録方法に関する。
【背景技術】
【０００２】
現在使用又は検討されている高容量光記録媒体としては、デジタルバーサタイルディスク（ＤＶＤ：Digital Versatile Disc）、ブルーレイディスク（Ｂｌｕ−Ｒａｙ  Ｄｉｓｋ）、ハイディフィニションＤＶＤ（ＨＤ  ＤＶＤ：High Definition DVD）等が挙げられる。しかし、これらの媒体の容量としては、最高でも１００ＧＢ程度と考えられており、これ以上の容量を有する高容量光記録媒体として、ホログラフィックメモリ媒体が検討されている。
【０００３】
ホログラフィックメモリ媒体は、各種多重方法により、面内の同じ場所に何度も多重記録がなされ、記録層の面内方向だけでなく、記録層の厚み方向に広がる領域にも複数のデータが記録されることから、大容量化が可能である。そこで、ホログラフィックメモリ媒体、その記録と再生の装置とその記録と再生の方法に関する提案が多くされている（例えば、特許文献１参照。）。
【特許文献１】特開２００５−４４４４８号公報（段落００２３から段落００４６、図１と図２）
【発明の開示】
【発明が解決しようとする課題】
【０００４】
ホログラフィックメモリ媒体に光情報を記録する場合には、その光情報の乗った記録光をホログラフィックメモリ媒体に照射する。この記録光によって化学反応がホログラフィックメモリ媒体に起きている。この化学反応は、再生時に照射する再生照明光や、日常の生活をするうえで避けられずに照らされる太陽光と照明光によっても僅かに起きている。このような、再生照明光等による化学反応は、記録された情報の状態を僅かずつ変化させるので再生の条件が一定せず、また記録が消えてしまうため好ましくない。そこで、記録後に再生照明光等により化学反応が起きないように定着を行う必要がある。
【０００５】
定着では、再生照明光等により起こりうる化学反応を起こしてしまう。このことにより、再生照明光等が照射されても化学反応は起きなくなり、再生の条件が一定する。従来、このような定着の必要性は指摘されていても、どのように定着を行うかは提案されていなかった。
【０００６】
そこで、本発明は、定着可能なホログラフィックメモリ媒体を提供することを課題とする。また、本発明は、ホログラフィックメモリ媒体を定着可能な記録装置を提供することを課題とする。さらに、本発明は、ホログラフィックメモリ媒体を定着可能な記録方法を提供することを課題とする。
【課題を解決するための手段】
【０００７】
前記課題を解決するため、本発明のホログラフィックメモリ媒体の記録装置は、ホログラフィックメモリ媒体の複数の記録箇所に光情報を記録する記録装置において、第１の記録箇所に多重記録により光情報を記録する記録部と、第１の記録箇所における記録が終了したか否かを判定する判定部と、第１の記録箇所における記録が終了したと判定した場合に、第１の記録箇所に定着を行う定着部とを有し、第１の記録箇所における記録が終了したと判定した場合に、定着部の第１の記録箇所の定着と並行して、記録部が第２の記録箇所に多重記録により光情報を記録することを特徴とする。記録と定着を並行して行うことができるので、記録に要する時間とは別に定着に要する時間を設ける必要がない。また、記録していない箇所には定着を行わないので、定着をしていない箇所に記録することができる。
【０００８】
また、記録部が光情報を記録するための記録用光源を有し、定着部が定着を行うための定着用光源を有することが好ましい。記録用光源から定着用に光を分ける必要がなくなり、記録用と定着用ともに必要なエネルギーを得やすい。
【０００９】
また、記録部が光情報を記録するための記録光の記録波長と、定着部が定着を行うための定着光の定着波長が異なることが好ましい。そして、記録波長と定着波長とは、ホログラフィックメモリ媒体が含む増感色素の吸光度が記録波長においてよりも定着波長においての方で大きくなるように設定されていることが好ましい。これらのことによれば、ホログラフィックメモリ媒体に含まれ化学反応を起こさせる増感色素を低エネルギーで減少させることができる。
【００１０】
また、記録波長は、ホログラフィックメモリ媒体が含む増感色素による吸光度が記録波長において定着後に０．１以下であるように設定されていることが好ましい。再生の際に照射する再生照明光の再生波長は記録波長に等しいので、記録波長における吸光度が小さく０．１以下になっていることにより、再生回折効率が高く得られる。
【００１１】
また、記録波長と定着波長とは、ホログラフィックメモリ媒体が含む定着用増感色素が記録波長において吸収がなく定着波長において吸収があるように設定されていることが好ましい。記録波長と同じ再生波長で行われる再生では吸収がないので、再生時に化学反応を起こすことがない。
【００１２】
また、本発明のホログラフィックメモリ媒体の記録方法は、ホログラフィックメモリ媒体の複数の記録箇所に光情報を記録する記録方法において、第１の前記記録箇所に多重記録により光情報を記録し、第１の記録箇所における記録が終了したか否かを判定し、第１の記録箇所における記録が終了したと判定した場合に、第１の記録箇所に定着を行い、この定着と並行して、第２の記録箇所に多重記録により光情報を記録することを特徴とする。記録と定着を並行して行うことができるので、記録に要する時間とは別に定着に要する時間を設ける必要がない。また、記録していない箇所には定着を行わないので、定着をしていない箇所に記録することができる。
【００１３】
また、本発明のホログラフィックメモリ媒体は、光情報を記録するホログラフィックメモリ媒体において、光情報を記録箇所に記録するための記録光の記録波長において吸収がある記録用増感色素と、記録波長において吸収がなく、光情報を記録箇所に定着するための定着光の定着波長において吸収がある定着用増感色素を含むことを特徴とする。記録波長と同じ再生波長で行われる再生では定着用増感色素に吸収がないので、定着用増感色素は、定着の際には化学反応に寄与するが、再生の際には化学反応に寄与することはない。
【００１４】
また、本発明のホログラフィックメモリ媒体は、光情報を記録し、増感色素を含むホログラフィックメモリ媒体において、光情報を記録するための記録光の記録波長における増感色素の吸光度よりも、光情報を定着するための定着光の定着波長における増感色素の吸光度の方が大きいことを特徴とする。ホログラフィックメモリ媒体に含まれ化学反応を起こさせる増感色素を、定着において、低エネルギーで減少させることができ、定着に必要な十分な化学反応を起こさせることができる。
【発明の効果】
【００１５】
このように、本発明によれば、定着可能なホログラフィックメモリ媒体を提供できる。また、本発明によれば、ホログラフィックメモリ媒体を定着可能な記録装置を提供できる。さらに、本発明によれば、ホログラフィックメモリ媒体を定着可能な記録方法を提供できる。
【発明を実施するための最良の形態】
【００１６】
次に、本発明の実施の形態について適宜図面を参照しながら詳細に説明する。
（第１の実施の形態）
図１に示すように、第１の実施の形態に係るホログラフィックメモリ媒体１３の記録装置１は、ホログラフィックメモリ媒体１３の複数の記録箇所１６ａ、１６ｂに光情報を記録する記録装置１において、第１の記録箇所１６ａに多重記録により光情報を記録する記録部３と、第１の記録箇所１６ａにおける記録が終了したか否かを判定する判定部７と、第１の記録箇所１６ａにおける記録が終了したと判定した場合に、第１の記録箇所１６ａに定着を行う定着部４とを有し、第１の記録箇所１６ａにおける記録が終了したと判定した場合に、定着部４の第１の記録箇所１６ａの定着を行うことが可能となる。本定着処理を行い記録を終了する場合と、定着処理と並行して、記録部３が第２の記録箇所１６ｂに多重記録により光情報を記録することが可能である。第２の記録箇所１６ｂに対する記録と、第１の記録箇所１６ａに対する定着を並行して行うことができるので、記録に要する時間とは別に定着に要する時間を設ける必要がない。また、記録箇所１６ａと１６ｂ以外の記録していないが記録可能な箇所には定着を行わないので、今回の記録の機会とは異なる別の機会に定着をしていないが記録可能な箇所に記録することができる。
【００１７】
記録装置１は、主に、ホログラフィックメモリ媒体１３を回転駆動させるモータ２７と、レーザ光線である記録光Ｂ１と参照光Ｂ３をホログラフィックメモリ媒体１３へ照射する記録部３と、レーザ光線である定着光Ｂ４をホログラフィックメモリ媒体１３へ照射する定着部４と、ホログラフィックメモリ媒体１３を透過した光を受光する受光部５と、信号処理回路５０と、コントローラ２と、ホログラフィックメモリ媒体１３上のピット１１を検出する光センサ１５とを備えて構成されている。
【００１８】
モータ２７の周辺には、モータ２７の回転軸に直結して回転するスピンドル２８と、スピンドル２８の先端に配置されホログラフィックメモリ媒体１３の中央に形成された孔Ｈ（図２（ａ）参照）で係止するチャック２９とが設けられている。
【００１９】
記録部３は、記録用光源２１と、ビームスプリッタ２２、２４と、空間光変調器（ＳＬＭ：Spatial Light Modulator）２３と、レンズＬ１、Ｌ３とミラー２５と、アクチュエータ２６を備えて構成される。
【００２０】
ビームスプリッタ２２は、記録用光源２１が発したレーザ光線の光路上に設置され、レーザ光線を、直進し定着光Ｂ４を含む参照光Ｂ３と、ビームスプリッタ２２内で反射して角度を変えられた記録光Ｂ１とに分ける。ビームスプリッタ２４は、定着光Ｂ４を含む参照光Ｂ３の光路上に設置され、定着光Ｂ４を含む参照光Ｂ３を、直進する定着光Ｂ４と、ビームスプリッタ２４内で反射して進路を変えられた参照光Ｂ３とに分ける。ビームスプリッタ２２と２４のそれぞれは、例えば２つのプリズムを僅かな間隔で向き合わせて構成されている。
【００２１】
記録光Ｂ１の光路上には、空間光変調器２３とレンズＬ１が設置されている。記録光Ｂ１は、第２の記録箇所１６ｂを照射している。参照光Ｂ３の光路上には、ミラー２５とレンズＬ３が設置されている。参照光Ｂ３も、記録光Ｂ１と同様に第２の記録箇所１６ｂを照射している。
【００２２】
空間光変調器２３は、入力されたデジタルデータを、２次元の格子状のパターンとして表示する。空間光変調器２３は、記録光Ｂ１の光路上に配設され、格子状のパターンにより、記録光Ｂ１の断面に格子状のパターンとして光情報に変換する。レンズＬ１は、ホログラフィックメモリ媒体１３の記録層に記録光Ｂ１を集光する。ミラー２５は、参照光Ｂ３の光路を曲げ、レンズＬ３は、ホログラフィックメモリ媒体１３の記録層に参照光Ｂ３を集光する。そして、記録光Ｂ１と参照光Ｂ３が、ホログラフィックメモリ媒体１３の記録層上で干渉して、スポット状の干渉縞として光情報が記録される。
【００２３】
アクチュエータ２６は、ビームスプリッタ２２、２４と、空間光変調器２３と、レンズＬ１、Ｌ３とミラー２５とを一体として、ホログラフィックメモリ媒体１３の半径方向に移動させる。アクチュエータ２６とモータ２７とを連動させることにより、コントローラ２が指定するホログラフィックメモリ媒体１３の任意の領域に、第２の記録箇所１６ｂを設定することができる。
【００２４】
定着部４は、ミラー４３と、シャッター４５と、レンズＬ５と、アクチュエータ４４と４６を備えて構成される。ビームスプリッタ２４を直進する定着光Ｂ４の光路上には、ミラー４３と、シャッター４５と、レンズＬ５とが設置されている。定着光Ｂ４は、第１の記録箇所１６ａを照射している。
【００２５】
ミラー４３は、定着光Ｂ４の光路を曲げる。シャッター４５は、アクチュエータ４６により、定着光Ｂ４を透過させたり、遮断させたりすることができる。レンズＬ５は、ホログラフィックメモリ媒体１３の記録層に定着光Ｂ４を集光する。そして、定着光Ｂ４により、ホログラフィックメモリ媒体１３の記録層上で化学反応が起こり、スポット状の干渉縞として記録された光情報が定着される。
【００２６】
アクチュエータ４４は、ミラー４３と、シャッター４５と、アクチュエータ４６と、レンズＬ５とを一体として、ホログラフィックメモリ媒体１３の半径方向に移動させる。アクチュエータ４４とモータ２７とを連動させることにより、コントローラ２が指定するホログラフィックメモリ媒体１３の任意の領域に、第１の記録箇所１６ａを設定することができる。また、アクチュエータ４６により、シャッター４５が定着光Ｂ４を透過させれば、第１の記録箇所１６ａを定着させることができ、シャッター４５が定着光Ｂ４を遮断すれば、第１の記録箇所１６ａを定着させないことができる。
【００２７】
受光部５は、レンズＬ４と、光検出器４８と、アクチュエータ４９とを備えて構成されている。記録装置１は、ホログラフィックメモリ媒体１３に記録された光情報の再生も可能である。この再生の際に記録用光源２１から参照光Ｂ３の光路と同じ光路からホログラフィックメモリ媒体１３に照射された再生照明光が、記録層を透過し、記録層の格子縞で回折されることにより、回折光Ｂ５が出射される。この回折光Ｂ５の光路上にレンズＬ４と、光検出器４８は配置される。
【００２８】
レンズＬ４は、ホログラフィックメモリ媒体１３から出射される回折光Ｂ５を平行にするコリメータレンズである。光検出器４８は、例えば、格子状の受光画素を有するＣＣＤ(Charge-Coupled Device)などにより構成される。光検出器４８は、各受光画素で受光した光の強さを電気信号に変換して信号処理回路５０へ出力する。アクチュエータ４９は、レンズＬ４と、光検出器４８とを一体として、アクチュエータ２６と平行に、ホログラフィックメモリ媒体１３の半径方向に移動させる。アクチュエータ４８は、アクチュエータ２６と同様に、コントローラ２により制御される。これらのことにより、光検出器４８は回折光Ｂ５を確実に受光できる。
【００２９】
信号処理回路５０は、光検出器４８が検出した出力データをデコードし、ホログラフィックメモリ媒体１３の干渉縞に記録された光情報を再生する回路である。信号処理回路５０は、再生された光情報を出力するためコントローラ２と接続され、また、光情報を出力するため外部の機器（図示せず）と接続されている。
【００３０】
ホログラフィックメモリ媒体１３には、ホログラフィックメモリ媒体１３上の位置を決めるために、ピット１１が形成されている。光センサ１５は、このピット１１を検知することができる。サーボ回路４７により、ピット１１を検知するたびにモータ２７の回動を停止すれば、ピット１１ごとに記録箇所１６ｂを形成することができる。
【００３１】
コントローラ２は、再生制御部６と、判定部７と、出力部１４と、入力部１７と、記録制御部１８と、定着制御部１９と、モータ制御部２０とを有している。再生制御部６は、記録部３、アクチュエータ４９と信号処理回路５０を制御して、光情報をホログラフィックメモリ媒体１３から読み出し、信号処理回路５０にデータ出力を行わせる。
【００３２】
入力部１７は、ホログラフィックメモリ媒体１３に記録するデータを入力する。入力部１７は、データを入力するたびに入力した時刻を判定部７の待ち時間計測部８に送信する。入力部１７は入力したデータを出力部１４に出力する。
【００３３】
出力部１４は、入力したデータを、空間光変調器２３で１回の記録で扱える容量ごとに束ねて、空間光変調器２３に出力する。この束ねられたデータが、多重記録の際の１重分の記録となる。出力部１４は、この束ねられたデータが出力される度に、束ねられたデータが出力されたことを、判定部７の回数カウント部９に送信する。
【００３４】
判定部７は、記録部３によってなされる第１の記録箇所１６ａへの多重記録による光情報の記録が終了したか否かを判定する。判定部７は、待ち時間計測部８と回数カウント部９とを有しており、待ち時間計測部８と回数カウント部９とを用いて判定を行う。
【００３５】
待ち時間計測部８は、入力部１７からデータを入力した時刻を受信し、データの入力の間隔を待ち時間として計測する。判定部７には、予め所定の時間が設定されており、判定部７は、待ち時間が所定の時間以上か、未満かを判定する。所定の時間以上の場合を、第１の記録箇所１６ａへの多重記録による光情報の記録が終了した場合に対応させ、所定の時間未満の場合を、第１の記録箇所１６ａへの多重記録による光情報の記録が継続しており終了していない場合に対応させる。これらのことによれば、第１の記録箇所１６ａへは、まだ多重記録可能な場合であっても、これ以上多重記録をしないことを決定でき、第１の記録箇所１６ａへの多重記録による光情報の記録の終了を判定できる。
【００３６】
回数カウント部９は、出力部１４から束ねられたデータが出力されたことを受信し、束ねられたデータが出力された回数をカウントする。この回数は多重記録における何重目の記録であるかに対応する。判定部７には、予め何重まで多重記録するかの規定の回数が設定されており、判定部７は、カウントされた回数が規定の回数に達したか、未満かを判定する。規定の回数の場合を、第１の記録箇所１６ａへの多重記録による光情報の記録が終了した場合に対応させ、規定の回数未満の場合を、第１の記録箇所１６ａへの多重記録による光情報の記録が継続しており終了していない場合に対応させる。これらのことによれば、第１の記録箇所１６ａへ規定の回数分だけ多重記録を実施したことによる光情報の記録の終了を判定できる。
【００３７】
記録制御部１８は、記録部３を制御して、光情報をホログラフィックメモリ媒体１３の第１の記録箇所１６ａと第２の記録箇所１６ｂに多重記録により光情報を記録する。定着制御部１９は、定着部４を制御して、ホログラフィックメモリ媒体１３の第１の記録箇所１６ａと第２の記録箇所１６ｂを定着する。モータ制御部２０は、サーボ回路４７とモータ２７を制御して、光センサ１５のピット１１の位置の情報に基づいて、ホログラフィックメモリ媒体１３の第１の記録箇所１６ａに定着が可能となり、第２の記録箇所１６ｂに光情報の記録が可能となるように、モータ２７を回動させることにより、ホログラフィックメモリ媒体１３を回動させる。
【００３８】
図２（ａ）に示すように、ホログラフィックメモリ媒体１３はディスク状であって、その中央部には記録装置１側のチャック２９にこのホログラフィックメモリ媒体１３を嵌め入れるためのセンタ孔Ｈが形成されている。このホログラフィックメモリ媒体１３は、第１の光透過性基板１０ａおよび第２の光透過性基板１０ｂと、第１の光透過性基板１０ａと第２の光透過性基板１０ｂの間に介設された記録層１２とを備えている。なお、第１の光透過性基板１０ａおよび第２の光透過性基板１０ｂは、記録層１２の保護のためにあるので、記録、定着、再生の機能を実行するためには記録層１２があればよい。
【００３９】
図２（ｂ）に示すように、ホログラフィックメモリ媒体１３には、光情報の記録場所と定着場所を決めるピット１１が形成されている。ピット１１は、ホログラフィックメモリ媒体１３の変形したもので、等間隔に形成された微小な窪みである。そのピッチＰは、０．５μｍ以上、１００μｍ以下に設定されている。ピット１１は、ピット１１が形成されていない場所と比較して光の反射率が低くなるために光センサ１５が受ける光によって検出可能になっている。ピット１１の形状は、特に制限はなく、長穴でもよく、この場合は長さを０．４μｍ〜３μｍに設定し、幅を０．４μｍ程度に設定すればよい。
【００４０】
次に、ホログラフィックメモリ媒体１３への光情報の記録方法について説明する。まず、ホログラフィックメモリ媒体１３が、記録装置１のチャック２９にセンタ孔Ｈを介して装着される。そして、ホログラフィックメモリ媒体１３がスピンドル２８周りに所定の角度を回動する間に、図３（ａ）に示すように、記録装置１側の光センサ１５は、ホログラフィックメモリ媒体１３に形成されたピット１１を検出していく。そして、光センサ１５が複数のピット１１のうち基準位置に配置された基準ピット１１ａを検出した位置で、モータ２７はホログラフィックメモリ媒体１３の回動を停止させる。基準ピット１１ａに対応する第１の記録箇所１６ａが位置決めされる。
【００４１】
基準ピット１１ａに対応する第１の記録箇所１６ａに多重記録により光情報を記録する。記録層１２には、参照光Ｂ３と記録光Ｂ１とが記録層１２に照射されることによってデータである光情報が干渉縞として多重記録される。多重方式としては、シフト多重方式や、角度多重方式、波長多重方式、位相コード多重方式、ポリトピック（Polytopic）多重方式、これらの組み合わせによる多重方式を用いることができる。また、参照光Ｂ３と記録光Ｂ１とは、図１に示すように異なる光路を通る２光束方式であっても、同じ光路を通る同軸方式であってもかまわない。第１の実施の形態では、理解の容易のために２光束方式の角度多重方式を例にとり説明する。
【００４２】
角度多重方式では、多重記録しようとする各光情報の記録光Ｂ１ごとに、参照光Ｂ３の入射角度が変更される。具体的には、まず所定の入射角度に設定された参照光Ｂ３が光情報の記録光Ｂ１に合わせ込まれるとともに、記録光Ｂ１および参照光Ｂ３が記録層１２の記録箇所１６ａに照射されることによって記録層１２に干渉縞が形成される。
【００４３】
記録層１２に干渉縞が記録されると、記録層１２内において、干渉縞の明暗に沿って記録層１２の素材が化学変化を起こし、屈折率差や透過率差が生じることにより記録がなされる。現在、検討されている記録層１２の素材としては、フォトポリマ材料、屈折率変調用色素型材料、ハロゲン化銀、重クロム酸ゼラチン、フォトリフラクティブ材料、フォトクロミック材料などが挙げられる。
【００４４】
フォトポリマ材料は、高回折効率が得られること、低ノイズであること、記録後に完全に定着すれば保存安定性が良好であることから、注目を集めており素材開発が進められている。典型的なフォトポリマ材料は、バインダ、重合性モノマ、増感色素、重合開始剤などを含有している。
【００４５】
バインダとモノマは屈折率の異なるものを使用する。記録時に記録層１２内に干渉縞の明部と暗部が形成される。干渉縞の明部においては、増感色素が励起し電子を放出し、放出された電子が重合開始剤に移動し、重合開始剤がラジカルを発生し、ラジカルがモノマに移動しモノマの重合反応が行われる。この結果、干渉縞の明部では、隣接する暗部からも重合するモノマが集められ、モノマがリッチになり、干渉縞の暗部では、モノマが抜けるのに対応して、バインダがリッチになる。これらのモノマリッチとバインダリッチによる異なる屈折率が干渉縞の明部と暗部に生じることにより、干渉縞を記録している。この結果、光情報は、異なる屈折率や光透過率として表わされる縞として記録層１２内に記録される。
【００４６】
次に、図１のミラー２５とレンズＬ３の高さとミラー２５の角度が変更されることにより、参照光Ｂ３の入射角度が変更されるとともに、この参照光Ｂ３が他の光情報の記録光Ｂ１に合わせ込まれる。そして、一の光情報が記録された記録箇所と同じ第１の記録箇所１６ａに干渉縞が形成されることによって他の光情報が重ねて記録される。以下、多重記録していく他の光情報の記録光Ｂ１ごとに異なる入射角度の参照光Ｂ３が合わせ込まれることによって、記録層１２の１つの第１の記録箇所１６ａに複数の光情報が多重記録されていく。
【００４７】
そして、判定部７が、第１の記録箇所１６ａにおける記録が終了したか否かを判定する。逆に、判定部７が、第１の記録箇所１６ａにおける記録が終了したと判定するまで、記録部３は多重記録を実行する。
【００４８】
第１の記録箇所１６ａにおける多重記録が終了したと判定すると、ホログラフィックメモリ媒体１３がスピンドル２８周りに再び回動する。そして、図３（ｂ）に示すように、光センサ１５が基準ピット１１ａに隣接して並ぶ次のピット１１を検出してホログラフィックメモリ媒体１３の回動を停止させることによって、記録光Ｂ１および参照光Ｂ３が照射される第２の記録箇所１６ｂが位置決めされる。ちなみに、第１の記録箇所１６ａと第２の記録箇所１６ｂとは、重なっていても、重なっていなくても良い。位置決めされた記録光Ｂ１および参照光Ｂ３は、第１の記録箇所１６ａでの多重記録と同様に、複数の光情報を第２の記録箇所１６ｂに多重記録していく。
【００４９】
この第２の記録箇所１６ｂへの多重記録と並行して、第１の記録箇所１６ａにおける記録が終了したと判定した場合には、この記録が済んだばかりの第１の記録箇所１６ａに定着を行う。定着には、定着光Ｂ４を第１の記録箇所１６ａに照射する。定着光Ｂ４のホログラフィックメモリ媒体１３上の定着箇所３６は、第１の記録箇所１６ａを含むように設定する。このことにより、定着箇所３６における重合性モノマの重合反応などの化学反応は、定着時に大半が起こってしまい、定着後には未反応の重合性モノマが減少している。このため、定着後に未反応の重合性モノマが反応しても、重合性モノマは少量であるので干渉縞として記録された光情報を再生する条件が、再生するたびに実質的に変動することはない。
【００５０】
以下は、同様に、判定部７が第２の記録箇所１６ｂへの所定の光情報の多重記録が終了したと判断すると、定着箇所３６は第２の記録箇所１６ｂへ、記録箇所は新たな記録箇所へ上記と同様のいわゆるストップアンドゴー（Stop and Go）方式で移動する。このとき、定着に要する時間を、多重記録に要する時間より短く設定しておき、第２の記録箇所１６ｂへの多重記録が終了する前に、第１の記録箇所１６ａに対する定着は終了させておく。定着に要する時間は、シャッター４５の開閉の時間間隔によって調整することができる。
【００５１】
記録層１２に記録された光情報としてのホログラムは、再生照明光が第１の記録箇所１６ａと第２の記録箇所１６ｂに照射されることによって生成する回折光Ｂ５である再生光として読み出される。そして、第１の記録箇所１６ａと第２の記録箇所１６ｂに多重記録された複数の光情報のそれぞれは、各光情報が記録されたときの参照光Ｂ３の入射角度に設定された再生照明光が照射されることによって読み出される。
【００５２】
記録層は、光が照射されることによって光情報が記録される層であって、厚みが２００μｍ以上、好ましくは０．２〜２．５ｍｍ、より好ましくは０．５〜２．５ｍｍである。厚みを２００μｍ以上にすることにより、ホログラフィックメモリの製品化の際に要求される多重記録の回数を満足することができる。また、０．５ｍｍ以上にすることにより、再生される光情報のＳＮ比について、製品化の際に要求されるＳＮ比を満たすことができる。また、２．５ｍｍ以下にすることにより、光情報の記録に寄与しない材料を削減でき、製品化の際にコストを削減することができる。
【００５３】
重合性モノマとしては、重合性基があれば特に限定はなく、例えば、ラジカル重合性モノマ、カチオン重合性モノマ、これらのモノマを併用したものが挙げられ、具体的には、エポキシ基、エチレン性不飽和基等の重合性基を含む化合物が挙げられる。重合性モノマは、これらの重合性基を分子内に１つ以上含んでいればよく、分子内に２つ以上の重合性基を含む重合性モノマは、それらの重合性基が異なるものでもよいし、同じものでもよい。
【００５４】
増感色素としては、記録光Ｂ１（参照光Ｂ３）の記録波長に吸収を有するものであれば特に制限はないが、記録波長における増感色素自体の吸光度すなわち光吸収係数εが低いものが好ましい。増感色素の具体例としては、シアン系、メロシアン系、フタロシアン系、アゾ系、アゾメチン系、インドアニリン系、キサンテン系、クマリン系、ポリメチン系、ジアリルエテン系、フルギドフルオラン系、アントラキノン系、スチリル系等の公知の有機色素が挙げられる。また、これら以外にも増感色素としては、錯体色素が用いられても良い。
【００５５】
重合開始剤としては、ラジカル発生剤、カチオン発生剤、酸発生剤等が挙げられる。
【００５６】
バインダとしては、例えば、塩素化ポリエチレン、ポリメチルメタクリレート、メチルメタクリレートと他の（メタ）アクリル酸アルキルエステルの共重合体、塩化ビニルとアクリロニトリルの共重合体、ポリ酢酸ビニル、ポリビニルアルコール、ポリビニルホルマール、ポリビニルブチラール、ポリビニルピロリドン、エチルセルロース、アセチルセルロース、ポリカーボネート等が挙げられる。なお、バインダの屈折率は、重合性モノマの重合物（ポリマ）の屈折率との差が大きなものが好ましい。ただし、屈折率の差が大きすぎるような組み合わせでは、バインダと重合性モノマとの相溶性が低下し、その結果として光の散乱が大きくなる場合があるため、適当な屈折率のバインダが求められる。
【００５７】
また、記録層１２は、必要に応じて、増感剤、光学的増白剤、紫外線吸収剤、熱安定剤、連鎖移動剤、可塑剤、着色剤等のこの種の光記録媒体の記録層の形成に常用されるものを含んでいてもよい。
【００５８】
フォトポリマ材料は、重合性モノマが重合してできるポリマとバインダとの屈折率差によって干渉縞を記録する材料であり、ポリオールと硬化剤の熱による架橋反応によって形成されたウレタンマトリックス中にモノマが存在する。フォトポリマ材料による記録層の形成の際には、溶剤にフォトポリマ材料を溶かした溶液を、スピンコート法により成膜したり、溶液を基材中に注入したりする方法を用いることができる
【００５９】
現在、検討されている記録層の素材の、フォトポリマ材料以外の素材としては、屈折率変調用色素型材料が挙げられる。屈折率変調用色素型材料は、干渉縞の明部において、屈折率変調用色素の発色反応または消色反応を起こし、干渉縞の暗部に対して、屈折率差や透過率差などの物性値の差を生じさせる。屈折率変調用色素型材料は、バインダ、増感色素、屈折率変調用色素と酸発生剤を有している。フォトポリマと同様に、干渉縞が生成されると、干渉縞の明部において、増感色素が励起し、電子が放出される。放出された電子は酸発生剤に移動し、酸発生剤より酸が発生する。この酸により屈折率変調用色素が消色反応により消色し、屈折率が変化する。あるいは、屈折率変調用色素が発色反応により発色し、屈折率が変化する。発色反応の場合は、屈折率変調用色素を特に色素前駆体と呼ぶ場合がある。
【００６０】
記録層１２は、増感色素と屈折率変調用色素を含んでいる。増感色素と屈折率変調用色素としては、記録光（参照光）の記録波長に吸収を有するものであれば特に制限はないが、記録波長における増感色素自体の吸光度すなわち光吸収係数εが低いものが好ましい。増感色素には、フォトポリマ材料に含まれる増感色素と同じものを用いることができる。
【００６１】
屈折率変調用色素型材料は、バインダ中に色素を含有し、光露光部分の色素の発色や消色による屈折率変化によって干渉縞を記録する材料であり、バインダ中に増感色素や屈折率変調用色素が含有されている。屈折率変調用色素型材料による記録層の形成の際には、溶剤に屈折率変調用色素型材料を溶かした溶液を、スピンコート法により成膜したり、溶液を基材中に注入したりする方法を用いることができる。
【００６２】
また、現在、検討されている記録層１２の素材としては、ハロゲン化銀、重クロム酸ゼラチン、フォトリフラクティブ材料、フォトクロミック材料などが挙げられる。
【００６３】
ハロゲン化銀は、感度が高く、比較的解像度も高いが、湿式処理が必要でかつ煩雑であり、また、散乱が大きく、耐光性が劣るという問題を有する。そのため、メモリ用途としては、改善する余地が大きい。
【００６４】
重クロム酸ゼラチンは、回折効率が高く、低ノイズという特色を有するが、感度が低く、また、記録保存性が良好でないため、メモリ用途としては、改善する余地がある。
【００６５】
フォトリフラクティブ材料は、書き換え可能という特色を有するが、記録時に高電圧印加が必要で、記録保持性が良好でないため、メモリ用途としては、改善する余地がある。
【００６６】
フォトクロミック材料も、書き換え可能という特色を有するが、感度が極めて低く、記録保持性も良好でないため、メモリ用途としては、改善する余地がある。
【００６７】
そこで、ハロゲン化銀、重クロム酸ゼラチン、フォトリフラクティブ材料、フォトクロミック材料、フォトポリマ材料や屈折率変調用色素型材料など記録層１２の材料を組み合わせてもよい。例えば、発色反応あるいは消色反応を起こす屈折率変調用色素型材料と重合反応を起こすフォトポリマ材料を組み合わせることにより、屈折率変調用色素型材料に対しても定着を行うことが可能になり、容易に屈折率差を獲得できるので、記録層の素材としての適性を相乗的に獲得することができる。また、フォトリフラクティブ材料とフォトポリマ材料を組み合わせても、同様に、フォトリフラクティブ材料に対しても定着を行うことが可能になり、容易に屈折率差を獲得できるので、記録層１２の素材としての適性を相乗的に獲得することができる。記録層１２の素材としての適性を有する。なお、記録層１２は、記録方式に応じて熱重合性樹脂組成物（熱硬化性樹脂組成物）で形成されたものであってもよい。
【００６８】
光透過性基板１０ａと１０ｂの厚みは、０．０５〜１．２ｍｍ程度であればよい。光透過性基板の材料としては、例えば、ガラス等の無機物や、ポリカーボネート、トリアセチルセルロース、シクロオレフィンポリマー、ポリエチレンテレフタレート、ポリフェニレンスルフィド、アクリル樹脂、メタクリル樹脂、ポリスチレン樹脂、塩化ビニル樹脂、エポキシ樹脂、ポリエステル樹脂、アモルファスポリオレフィン等の樹脂が挙げられる。中でも、ガラス、ポリカーボネート、およびトリアセチルセルロースは、複屈折が小さいので好ましい。なお、光透過性基板１０ａと１０ｂは、同一の材料で形成されていても、あるいは異なる材料で形成されていてもよい。また、光透過性基板１０ａと１０ｂの表面には、反射防止コーティングや、酸素透過防止コーティング、水分透過防止コーティング、ＵＶカットコーティング等が必要に応じて施されていてもよい。
【００６９】
第１の実施の形態によれば、ホログラフィックメモリ媒体１３を定着可能な記録装置１を提供でき、記録と定着を並行して行うことができるので、記録に要する時間とは別に定着に要する時間を設ける必要がなくなる。また、ホログラフィックメモリ媒体１３の全面に一括して定着を行うわけではなく、記録していない箇所には定着を行わないので、定着をしていない箇所には、あらためて記録することができる。
【００７０】
（第２の実施の形態）
図４に示すように、第２の実施の形態に係る記録装置１は、図１の第１の実施の形態の記録装置１と比較して、定着用光源５７を有している点が異なっている。このことにより、記録部３と定着部４の構成も異なってきている。記録部３では、ミラー４３はアクチュエータ２６によって移動し、ミラー４３で参照光Ｂ３を反射させている。定着部４は、定着光Ｂ４を発光する定着用光源５７と、定着光Ｂ４をホログラフィックメモリ媒体１３上に集光するレンズＬ５と、定着光Ｂ４の光路を第１の記録箇所１６ａに移動させるアクチュエータ４４とで構成される。
【００７１】
第２の実施の形態によれば、第１の実施の形態における効果が得られるだけでなく、記録部３が光情報を記録するための記録用光源２１を有し、定着部４が定着を行うための定着用光源５７を有しているので、記録用光源２１から定着用に定着光Ｂ４を分ける必要がなくなり、記録光Ｂ１と参照光Ｂ３も必要なエネルギーを得やすく、定着光Ｂ４も必要なエネルギーを得やすい。そして、記録用光源２１と定着用光源５７を別々に有しているので、記録光Ｂ１の記録波長と、定着光Ｂ４の定着波長とが異なるように設定することができる。そして、以下に説明する第３乃至第５の実施の形態に示すように、記録波長と定着波長とを互いに異なるように設定し、ホログラフィックメモリ媒体１３に含まれ化学反応を起こさせる増感色素もしくは重合開始材を、定着において、低エネルギーで減少させることができるようになる。
【００７２】
（第３の実施の形態）
第３の実施の形態でも、第２の実施の形態の記録装置１を用いることができる。これは、図５に示すように、定着光Ｂ４の定着波長λａと、記録光Ｂ１、参照光Ｂ３と再生の際の再生照明光の再生波長に相当する記録波長λｂとは異なっているからである。したがって、第３の実施の形態では、第２の実施の形態で得られる効果を享受することができる。
【００７３】
さらに、ホログラフィックメモリ媒体１３の記録層１２に含まれる増感色素の記録前の吸収スペクトル５１に対して、記録波長λｂと定着波長λａとは、ホログラフィックメモリ媒体１３の記録層１２が含む増感色素の吸光度が、記録波長λｂにおいてよりも定着波長λａにおいての方で大きくなるように設定されている。このことによれば、増感色素を消費しながら化学反応を起こし、ホログラフィックメモリ媒体１３に含まれ化学反応を起こさせる増感色素を低エネルギーで減少させることができる。定着波長λａは、記録前の吸収スペクトル５１において、吸光度が最大になる波長に設定することが望ましい。このことによれば、より低エネルギーでより多くの増感色素を減少させることができる。一方、記録波長λｂとしては、増感色素に吸収される波長であれば特に制限はないが、吸光度が低い波長が好ましい。これは、記録層１２の記録光Ｂ１も入射側で大半の光が吸収され、奥の方まで記録光Ｂ１が届かずに奥の方では干渉縞が形成されない、あるいは、入射側と奥とで干渉縞が均一に形成されないことを防止するためである。また、再生の際の再生照明光をできるだけ記録層１２に吸収させずに強い再生光を得るためである。
【００７４】
増感色素の記録後の吸収スペクトル５２に示すように、記録する際に、記録光Ｂ１が照射されると、増感色素は分解され減少する。定着では、化学反応に寄与する増感色素をさらに減少させる必要がある。しかし、定着に記録波長λｂの光を用いると、記録波長λｂにおける吸光度は記録後においてさらに減少しているので、大量の光を照射する必要がある。このとき、定着波長λａでは、吸光度は大きい。定着波長λａの定着光Ｂ４を照射すれば、少量の光で増感色素を、増感色素の定着後の吸収スペクトル５３に示すように低減させることができる。
【００７５】
増感色素の定着後の吸収スペクトル５３に示すように、記録波長λｂは、ホログラフィックメモリ媒体１３が含む増感色素による吸光度が記録波長λｂにおいて定着後に０．１以下であるように設定されていることが好ましい。再生の際に照射する再生照明光の再生波長は記録波長λｂに等しいので、記録波長λｂにおける吸光度が小さく０．１以下なっていることにより、再生照明光が記録層１２に吸収されず、大きな再生光が得られ、高い再生回折効率が得られる。なお、この吸光度の値は、記録層１２の膜厚で補正していない。記録層１２に対して入射光の照度に対する透過光の照度の比に基づいている。
【００７６】
なお、定着波長λａは、図５に示すように記録波長λｂより小さくてもよいし、図６に示すように記録波長λｂより大きくてもよい。また、記録波長λｂが５３２ｎｍであれば、定着波長λａは、図５に示すように５３２ｎｍより小さくてもよいし、図６に示すように５３２ｎｍより大きくてもよい。また、記録波長λｂは、図５に示すように増感色素の記録前の吸収スペクトル５１において吸光度が最大になる波長より大きくてもよいし、図６に示すように小さくてもよい。
【００７７】
（第４の実施の形態）
第４の実施の形態でも、第２の実施の形態の記録装置１を用いることができる。これは、図７に示すように、定着光Ｂ４の定着波長λａと、記録光Ｂ１、参照光Ｂ３と再生の際の再生照明光の再生波長に相当する記録波長λｂとが異なっているからである。したがって、第４の実施の形態では、第２の実施の形態で得られる効果を享受することができる。
【００７８】
さらに、ホログラフィックメモリ媒体１３の記録層１２に含まれる記録用増感色素の記録前の吸収スペクトル５１と定着用増感色素の定着前の吸収スペクトル５４に対して、記録波長λｂと定着波長λａとは、ホログラフィックメモリ媒体１３の記録層１２が含む記録用増感色素と定着用増感色素の吸光度が、記録波長λｂにおいてよりも定着波長λａにおいての方で大きくなるように設定されている。このことによれば、定着において定着用増感色素を消費して化学反応を進めてしまう。そして、ホログラフィックメモリ媒体１３に含まれ化学反応を起こす重合性モノマ等を減少させることができる。
【００７９】
また、記録波長λｂと定着波長λａとは、ホログラフィックメモリ媒体１３が含む定着用増感色素が記録波長λｂにおいて吸収がなく、定着波長λａにおいて吸収があるように設定されていることが好ましい。記録波長λｂと同じ再生波長で行われる再生では、定着用増感色素による吸収がないので、再生時に定着用増感色素により化学反応を起こすことがない。また、再生時に、定着用増感色素は再生照明光を吸収しないので、強い再生光を出射することができる。そして、これらの効果を前提として、化学反応に寄与する定着用増感色素を大量に備えることができるので、定着時に化学反応を一気に起こし、化学反応を起こす重合性モノマ等を著しく減少させることができる。このためにはさらに、定着波長λａは、定着用増感色素の定着前の吸収スペクトル５４において、吸光度が最大になる波長に設定することが望ましい。このことによれば、より低エネルギーでより多くの化学反応を起こし、重合性モノマ等をさらに減少させることができる。一方、記録波長λｂとしては、記録用増感色素の記録前の吸収スペクトル５１において記録用増感色素に吸収される波長であれば特に制限はないが、吸光度が低い波長が好ましい。
【００８０】
逆に、これらの効果を備えたホログラフィックメモリ媒体１３であるために、記録層１２は、記録光Ｂ１の記録波長λｂにおいて吸収がある記録用増感色素と、記録波長λｂにおいて吸収がなく、定着光Ｂ４の定着波長λａにおいて吸収がある定着用増感色素を含んでいる。
【実施例】
【００８１】
次に、本発明のホログラフィックメモリ媒体１３を実施例に基づいてさらに具体的に説明するが、本発明はこれらの実施例に限定されるものではない。
【００８２】
＜ホログラフィックメモリ媒体の製造＞
（実施例１）
実施例１では、フォトポリマ材料を用いてホログラフィックメモリ媒体１３を製造した。まず、記録層を作製するために、溶液の調製を行った。表１に示すバインダ、モノマ、増感色素１、重合開始剤ならびに溶剤としてのジクロロメタン等の各素材を表１に示す重量となるように秤量した。秤量は赤色灯下で行った。
【００８３】
【表１】
2007256945.tif 000003
【００８４】
なお、表１中のバインダのＰＭＭＡは、ポリメチルメタクリレート（Aldrich社製、Ｍｗ：９９６０００）である。
また、モノマのＰＯＥＡは構造式（ａ）で示される化合物である。
【００８５】
【化１】
2007256945.tif 000004
【００８６】
増感色素１のＤＥＡＷは、構造式（ｂ）で示される化合物である。増感色素１のＤＥＡＷは吸光度Ａｂｓが、波長４８８ｎｍにおいて、波長５３２ｎｍあるいは４０５ｎｍにおいてより大きくなる（Abs＠488nm＞Abs＠532nm(or  Abs＠405nm)）ので、第３の実施の形態の図５に示すように、記録波長λｂと定着波長λａを５３２ｎｍ単独とするよりは、記録波長λｂを５３２ｎｍあるいは４０５ｎｍとし、定着波長λａを４８８ｎｍとして、記録波長λｂと定着波長λａを分けたほうが、定着が効率的に行われる。
【００８７】
【化２】
2007256945.tif 000005
【００８８】
重合開始剤のＭＢＯは、構造式（ｃ）で示される化合物である。また、重合開始剤のo-Cl-HABIは、構造式（ｄ）で示される化合物である。
【００８９】
【化３】
2007256945.tif 000006
【化４】
2007256945.tif 000007
【００９０】
溶剤のＭＥＫは、メチルエチルケトンである。
【００９１】
（実施例２）
実施例２でも、実施例１と同様に、フォトポリマ材料を用いてホログラフィックメモリ媒体１３を製造した。実施例１と異なる点は、表２に示すように、実施例２では、増感色素として、実施例１の（記録用）増感色素１のほかに、（定着用）増感色素２を加えて溶液の調整を行っている点である。
【００９２】
【表２】
2007256945.tif 000008
【００９３】
増感色素２は、構造式（ｅ）で示される化合物である。増感色素２は、吸収スペクトルにおいて、波長４０５ｎｍ付近で吸光度が最大になり（λmax＝405nm）、波長５３２ｎｍ以上には吸収が無く吸光度がゼロになる。例えば、第４の実施の形態の図７に示すように、記録波長λｂを５３２ｎｍとし、定着波長λａを４０５ｎｍとする。増感色素１は記録用増感色素に相当し、増感色素１の吸収スペクトルは記録用増感色素の吸収スペクトル５１、５２に対応する。増感色素２は定着用増感色素に相当し、増感色素２の吸収スペクトルは定着用増感色素の吸収スペクトル５４、５５に対応する。このような構成によれば、定着において、少ない光でも吸光度が大きいので光を十分に吸収して多くの化学反応を起こすことができ、効率よく定着を行うことができる。
【００９４】
【化５】
2007256945.tif 000009
【００９５】
これら実施例１、２の表１、２の組成に従って溶液を調合した後、それぞれの溶液毎に、基材にコーティングし、充分乾燥させ、溶液の表面に気泡が入らないように真空中でもう一枚の基材を熱圧着し、評価用のホログラフィックメモリ媒体１３を作製した。基材にはポリカーボネートなどの光透過基板を使うことが可能であるが、調合した溶液中の溶剤に侵されないようなコーティングが施されている必要がある。
【００９６】
＜ホログラフィックメモリ媒体１３のビットエラーレート（ＢＥＲ）の測定＞
製造された実施例１と実施例２のそれぞれのホログラフィックメモリ媒体１３に対して、第２の実施の形態の記録装置１を用いて、光情報の記録と定着を行った。実施例１と実施例２の記録波長λｂは共に、５３２ｎｍに設定した。実施例１の定着波長λａは、図５の第３の実施の形態に対応させ、４８８ｎｍに設定した。実施例２の定着波長λａは、図７の第４の実施の形態に対応させ、４０５ｎｍに設定した。光情報としては画像を用いた。
【００９７】
また、実施例１と実施例２において、定着後に記録波長λｂにおけるホログラフィックメモリ媒体１３が含む増感色素による吸光度Ａｂｓが０．１以下になることが確認された。
【００９８】
再度、第２の実施の形態の記録装置１を用いて、記録定着した光情報を再生した。実施例１と実施例２の再生波長は共に、記録波長λｂと同じ５３２ｎｍに設定した。再生は繰り返し１００００回行った。そして、１回目の再生時と、１０００回目の再生時と、１００００回目の再生時において再生した画像を、記録定着に用いた元の画像と比較してＢＥＲを算出した。
【００９９】
そして、１回目の再生時と、１０００回目の再生時と、１００００回目の再生時におけるＢＥＲが劣化していないことを確認した。このように、実施例１と実施例２によれば、ＢＥＲが再生によって劣化しないように定着されたホログラフィックメモリ媒体１３を提供できる。
【図面の簡単な説明】
【０１００】
【図１】本発明の一実施形態に係るホログラフィックメモリ媒体の記録装置の構成図である。
【図２】図２（ａ）は、実施の形態に係るホログラフィックメモリ媒体の斜視図であり、図２（ｂ）は、図２（ａ）のＸ部の拡大図である。
【図３】図３（ａ）および図３（ｂ）は、ホログラフィックメモリ媒体に光情報が記録され定着される工程を示す模式図である。
【図４】本発明の一実施形態に係るホログラフィックメモリ媒体の記録装置の構成図である。
【図５】本発明の一実施形態に係るホログラフィックメモリ媒体の記録層に含まれる増感色素の記録前と記録後と定着後の吸収スペクトルである。
【図６】本発明の一実施形態に係るホログラフィックメモリ媒体の記録層に含まれる増感色素の記録前と記録後と定着後の吸収スペクトルである。
【図７】本発明の一実施形態に係るホログラフィックメモリ媒体の記録層に含まれる定着前と定着後の定着用増感色素の吸収スペクトルと、記録前と記録後の記録用増感色素の吸収スペクトルである。
【符号の説明】
【０１０１】
１      記録装置
２      コントローラ
３      記録（再生）部
４      定着部
７      判定部
１２    記録層
１３    ホログラフィックメモリ媒体
１６、１６ａ、１６ｂ  記録箇所
２１    記録用光源
３６    定着箇所
４８    光検出器
５１    増感色素の記録前の吸収スペクトル
５２    増感色素の記録後の吸収スペクトル
５３    増感色素の定着後の吸収スペクトル
５４    増感色素の定着前の吸収スペクトル
５５    増感色素の定着後の吸収スペクトル
５７    定着用光源
λａ    定着波長
λｂ    記録（再生）波長
【図１】
2007256945.tif 000010
【図２】
2007256945.tif 000011
【図３】
2007256945.tif 000012
【図４】
2007256945.tif 000013
【図５】
2007256945.tif 000014
【図６】
2007256945.tif 000015
【図７】
2007256945.tif 000016